(57)【特許請求の範囲】
【請求項１】
中心キャビティ、輸出ポート、第１液体ポート及び第２液体ポートを有するマニホールド本体と、
前記中心キャビティに摺動可能に嵌め込まれたバルブステムと、を備える装置であって、
前記バルブステムは、
注入ポートに接続される一つの中心縦方向延長液体通路と、
前記中心縦方向延長液体通路に交差し、前記バルブステムが第２回転位置に位置したとき、前記中心縦方向延長液体通路と前記輸出ポートとの間で液体伝送を行う第２垂直液体通路と、
前記中心縦方向延長液体通路に交差し、前記中心縦方向延長液体通路と前記第１液体ポート及び前記第２液体ポートから選ばれた一つの液体ポートとの間で選択的に液体伝送を行い、前記バルブステムが第１回転位置に位置したとき、前記中心縦方向延長液体通路と前記第１液体ポートとの間で液体伝送を行い、前記バルブステムが第３回転位置に位置したとき、前記中心縦方向延長液体通路と前記第２液体ポートとの間で液体伝送を行う第１垂直液体通路と、を備え、
前記バルブステムの近端部分は、前記バルブステムを前記中心キャビティ内で回転させ、前記中心縦方向延長液体通路と前記第１液体ポート、前記第２液体ポート及び前記輸出ポート中の一つのポートとの間で液体伝送を行い、
前記マニホールド本体は圧力トランスデューサーポートを含み、前記圧力トランスデューサーポートは液体の流通過程で選択的に前記輸出ポートに接続され、前記圧力トランスデューサーポートは前記輸出ポート箇所の液体圧力を検出するように圧力トランスデューサーに接続され、
前記バルブステムは、トランスデューサー液体通路を含み、
前記トランスデューサー液体通路は、前記バルブステムの縁部に位置した半円形の溝を含む装置。
【請求項２】
前記マニホールド本体は、前記バルブステムを前記第１回転位置、第２回転位置又は第３回転位置に完全位置決めする自己バイアス装置を備え、
前記自己バイアス装置は、
それぞれに前記第１回転位置、前記第２回転位置及び前記第３回転位置に位置した複数のデテントキャビティと、
前記バルブステムが前記複数のデテントキャビティにおける一つのデテントキャビティ中に位置したとき、前記バルブステムの回転を阻止するデテントボールと、
前記デテントボールを前記複数のデテントキャビティにおける一つのデテントキャビティ中に押し込むデテントバイアス装置と、を備える請求項１に記載の装置。
【請求項３】
前記バルブステムは階段型の柱体を含み、前記階段型の柱体は、前記輸出ポートに位置した第１円柱直径と、前記第１液体ポート及び前記第２液体ポートに位置した第２円柱直径と、を有する請求項１に記載の装置。
【請求項４】
前記トランスデューサー液体通路は、前記圧力トランスデューサーが前記注入ポートからの液体圧力を受けることを抑制又は阻止するものである請求項１に記載の装置。
【請求項５】
前記輸出ポートに接続され、前記輸出ポート中の液体内の気泡を検出する気泡検出器をさらに備える請求項１に記載の装置。
【請求項６】
前記気泡検出器は、前記輸出ポート中の液体を突き通る光波の変化により、気泡を検出する請求項５に記載の装置。
【請求項７】
中心キャビティ、輸出ポート、第１液体ポート及び第２液体ポートを有するマニホールド本体と、
前記中心キャビティに摺動可能に嵌め込まれたバルブシステムと、を備える装置であって、
前記バルブシステムは、
注入ポートに接続される回転弁体、静止弁体、バルブステム及び中心縦方向延長液体通路と、
前記中心縦方向延長液体通路に交差し、前記回転弁体が第２回転位置に位置したとき、前記中心縦方向延長液体通路と前記輸出ポートとの間で液体伝送を行う第２液体通路と、
前記中心縦方向延長液体通路に交差し、前記中心縦方向延長液体通路と前記第１液体ポート及び前記第２液体ポートから選ばれた一つの液体ポートとの間で選択的に液体伝送を行い、前記回転弁体が第１回転位置に位置したとき、前記第１液体ポートと液体伝送を行い、前記回転弁体が第３回転位置に位置したとき、前記第２液体ポートと液体伝送を行う第１液体通路と、を備え、
前記回転弁体は、前記バルブステムに付着されるか、又は前記バルブステムと集積され、
前記バルブステムの近端部分は、前記回転弁体を前記中心キャビティ内で前記静止弁体に対して回転させ、前記中心縦方向延長液体通路と前記第１液体ポート、前記第２液体ポート及び前記輸出ポート中の一つのポートとの間で選択的に液体伝送を行い、
前記マニホールド本体は圧力トランスデューサーポートを含み、前記圧力トランスデューサーポートは液体の流通過程で選択的に前記輸出ポートに接続され、前記圧力トランスデューサーポートは前記輸出ポート箇所の液体圧力を検出するように圧力トランスデューサーに接続され、前記回転弁体は、トランスデューサー液体通路を含み、
前記トランスデューサー液体通路は半円形の溝をさらに有し、前記回転弁体の上辺縁部に位置している装置。
【請求項８】
前記トランスデューサー液体通路は、前記圧力トランスデューサーが前記注入ポートからの液体圧力を受けることを抑制又は阻止するものである請求項７に記載の装置。
【請求項９】
前記回転弁体及び前記静止弁体は前記中心キャビティに収納され、前記回転弁体及び前記静止弁体は平行に設けられている請求項７に記載の装置。
【請求項１０】
気泡検出器は前記輸出ポートに接続され、前記輸出ポート中の液体内の気泡を検出する請求項７に記載の装置。
【請求項１１】
気泡検出器は前記輸出ポート中の液体を突き通る光波の変化により、気泡を検出する請求項７に記載の装置。
【請求項１２】
一つの中心液体通路を有する中心回転バルブにより、注入ポート、第１液体ポート、第２液体ポートと患者端輸送ポートとの間を選択的に互いに接続させるマニホールドを備え、
前記第１液体ポートは造影剤供給源に接続され、
前記第２液体ポートは生理塩水供給源に接続され、
前記注入ポートは注入装置に接続され、
前記注入装置は、
前記回転バルブが第１回転位置に位置したとき、前記造影剤供給源から液体を抽出し、
前記回転バルブが第３回転位置に位置したとき、前記生理塩水供給源から液体を抽出し、
前記回転バルブが第２回転位置に位置したとき、前記患者端輸送ポートにより液体を輸出し、
前記マニホールドは圧力トランスデューサーポートを含み、前記圧力トランスデューサーポートは液体の流通過程で選択的に前記患者端輸送ポートに接続され、前記圧力トランスデューサーポートは前記患者端輸送ポート箇所の液体圧力を検出するように圧力トランスデューサーに接続され、
前記患者端輸送ポートは、前記回転バルブに備えられた半円形圧力通路により前記圧力トランスデューサーポートに接続される液体伝送システム。
【請求項１３】
前記マニホールドに位置した圧力トランスデューサーポートに接続された圧力トランスデューサーをさらに備える請求項１２に記載の液体伝送システム。
【請求項１４】
前記中心回転バルブが前記第１回転位置及び前記第３回転位置のいずれか一つの回転位置に位置したとき、前記マニホールドが前記患者端輸送ポートと前記圧力トランスデューサーポートとの間を互いに接続するようにする請求項１３に記載の液体伝送システム。
【請求項１５】
前記患者端輸送ポートに接続された気泡検出器をさらに備える請求項１２に記載の液体伝送システム。
【請求項１６】
前記気泡検出器は前記患者端輸送ポート中の液体を突き通る光波の変化により、気泡を検出する請求項１５に記載の液体伝送システム。
【請求項１７】
前記造影剤供給源、前記生理塩水供給源及び前記注入装置の少なくとも一つを備える請求項１２に記載の液体伝送システム。
【発明の詳細な説明】
【発明の詳細な説明】
【０００１】
〔技術分野〕
本発明は医療機器分野に関し、特に患者端輸送装置により複数種類の液体を輸送する回転型の医用マニホールドに関する。
【０００２】
〔背景技術〕
通常、医療処置は針、カテーテル又はある類似的な患者端輸送装置で複数種類の異なる液体を患者の体内に注射する必要がある。場合によって、ある医療処置は患者端輸送装置を切らずに、複数種類の液体が注射可能である点で役に立つ。このような上述の医療処置として血管造影法がある。なお、血管造影法は人体内部の血管及び器官が観察できる医学影像技術である。通常、血管造影法は血管の閉塞又は血管の狭窄に対して、特に患者の心臓中又は心臓周りの閉塞した血管又は狭窄な血管を検出する。なお、血管造影法はＸ線撮影技術付けの不透明造影媒質（通常、「造影剤」と称する）を患者の血液循環システムに輸入する必要がある。このような血管造影法において、患者体内の注目領域の周りに設けられたカテーテルを介して造影剤を患者の血管システムに注入することができる。一旦造影剤が供給されると、Ｘ線により血管が見えるように、このような造影剤を血液中に入れる。
【０００３】
通常、造影剤は手動注射器及びそれに接続されたマニホールド装置によって注入され、ここでマニホールドはカテーテル、造影剤供給源及び生理食塩水供給源までの液体に対する接続通路を有している。したがって、線状コネクターを使用し、特にルアーテーパーのコネクターによってマニホールド、注射器及びカテーテルの間を接続する。
【０００４】
一般的に用いられる医用マニホールドは液体供給源毎をマニホールドに接続するための複数の単独バルブを有する。例えば、代表的な血管造影術において、造影剤流、生理食塩水供給源及び患者端輸送装置にはそれぞれマニホールドの各接続端と接続される少なくとも一つのバルブを有する。なお、この処置は医者によって適切な順番に従って適切に各単独バルブをオン、オフする必要がある。
【０００５】
〔先行技術文献〕
〔特許文献〕
＜特許文献１＞  ＣＮ１０１３１３１６８Ａ
【０００６】
〔発明の概要〕
〔発明が解決しようとする課題〕
ここで、本発明者は従来慣用されているマニホールドが一連の複雑なバルブ操作により例えば血管造影術などの通常の医療処置を完成する必要があることに意識した。同時に、本発明者は医療機器販売分野の医用マニホールドが多くの必要のない製造コスト及び生産原理を消費するとともに、通常医療処置で発生した医療廃料が増加していることに意識した。
【０００７】
〔課題を解決するための手段〕
本発明の実施形態１に提供される装置は、マニホールド本体と、バルブステムと、選択可能な回転盤とを備える。なお、マニホールドは中心キャビティ、輸出ポート、第１液体ポート及び第２液体ポートを有する。バルブステムは、中心キャビティに摺動可能に嵌め込まれ、一つの中心縦方向延長液体通路と、第１垂直液体通路と、第２垂直液体通路とを有する。なお、中心縦方向延長液体通路は注入ポートに接続されている。バルブステムが第２回転位置に位置したとき、第１垂直液体通路は中心縦方向延長液体通路に交差し、中心縦方向延長液体通路と前記輸出ポートとの間で選択的に液体伝送を行い、第２垂直液体通路は中心縦方向延長液体通路に交差し、前記中心縦方向延長液体通路と前記第１液体ポート及び前記第２液体ポートから選ばれた一つの液体ポートとの間で選択的に液体伝送を行い、前記バルブステムが第１回転位置に位置したとき、第２垂直液体通路は前記第１液体ポートと液体伝送を行い、前記バルブステムが前記第３回転位置に位置したとき、第２垂直液体通路は前記第２液体ポートと液体伝送を行う。そして、回転盤はバルブステムに接続され、このバルブステムを中心キャビティ内で選択的に回転させ、前記中心縦方向延長液体通路と前記第１液体ポート、前記第２液体ポート及び前記輸出ポート中の一つの液体ポートとの間で選択的に液体伝送を行う。
【０００８】
本発明の実施形態２は、以下の装置を提供している。実施形態１に記載の装置中において、バルブステムを第１回転位置、第２回転位置又は第３回転位置に完全位置決めする自己バイアス装置を備えるマニホールド本体を提供している。自己バイアス装置は、それぞれに前記第１回転位置、前記第２回転位置及び前記第３回転位置に位置した複数のデテントキャビティと、前記バルブステムが前記複数のデテントキャビティにおける一つのデテントキャビティ中に位置したとき、前記バルブステムの回転を阻止するデテントボールと、前記デテントボールを前記複数のデテントキャビティにおける一つのデテントキャビティ中に押し込むデテントバイアス装置と、を備える。
【０００９】
本発明の実施形態３は、以下の装置を提供している。実施形態１及び２中の一つの装置又は任意の組合装置中において、バルブステムは階段型の柱体を含み、前記階段型の柱体は、前記輸出ポートに位置した第１円柱直径と、前記第１液体ポート及び前記第２液体ポートに位置した第２円柱直径と、を有している。
【００１０】
本発明の実施形態４は、以下の装置を提供している。実施形態１から３中の一つの装置又は任意の組合装置中において、マニホールド本体は圧力トランスデューサーポートを含み、前記圧力トランスデューサーポートは液体の流通過程で選択的に輸出ポートに接続され、前記圧力トランスデューサーポートは前記輸出ポート箇所の液体圧力を検出するように圧力トランスデューサーに接続され、前記バルブステムは、トランスデューサー液体通路を含む。
【００１１】
本発明の実施形態５は、以下の装置を提供している。実施形態１から４中の一つの装置又は任意の組合装置中において、前記トランスデューサー液体通路は、前記バルブステムの縁部に位置した半円形の溝を含む。
【００１２】
本発明の実施形態６は、以下の装置を提供している。実施形態１から５中の一つの装置又は任意の組合装置中において、前記トランスデューサー液体通路は、前記圧力トランスデューサーが注入ポートからの液体圧力を受けることを抑制又は阻止するものである。
【００１３】
本発明の実施形態７は、以下の装置を提供している。実施形態１から６中の一つの装置又は任意の組合装置中において、前記バルブステムは、前記マニホールド本体の中心キャビティに摺動可能に嵌め込まれている。
【００１４】
本発明の実施形態８は、以下の装置を提供している。実施形態１から７中の一つの装置又は任意の組合装置中において、輸出ポートに接続され、前記輸出ポート中の液体内の気泡を検出する気泡検出器をさらに備える。
【００１５】
本発明の実施形態９は、以下の装置を提供している。実施形態１から８中の一つの装置又は任意の組合装置中において、前記気泡検出器は、前記輸出ポート中の液体を突き通る光波の変化により、気泡を検出する。
【００１６】
本発明の実施形態１０は装置を提供し、装置は、中心キャビティ、輸出ポート、第１液体ポート及び第２液体ポートを有するマニホールド本体と、前記中心キャビティに摺動可能に嵌め込まれたバルブシステムと、を備え、前記バルブシステムは、前記注入ポートに接続される回転弁体、静止弁体、バルブステム及び中心縦方向延長液体通路と、前記回転弁体が第２回転位置に位置したとき、中心縦方向延長液体通路に連通され、中心縦方向延長液体通路と輸出ポートとの間で選択的に液体伝送を行う第１垂直液体通路と、中心縦方向延長液体通路に連通し、中心縦方向延長液体通路と第１液体ポート及び第２液体ポートから選ばれた一つの液体ポートとの間で選択的に液体伝送を行い、回転弁体が第１回転位置に位置したとき、第１液体ポートと液体伝送を行い、回転弁体が前記第３回転位置に位置したとき、前記第２液体ポートと液体伝送を行う第２垂直液体通路と、を備え、前記回転弁体は、前記バルブステムに付着されるか、又は前記バルブステムと集積され、バルブステムの近端部分は、回転弁体を中心キャビティ内で静止弁体に対して回転させ、中心縦方向延長液体通路と第１液体ポート、第２液体ポート及び輸出ポート中の一つのポートとの間で選択的に液体伝送を行う。
【００１７】
本発明の実施形態１１は、以下の装置を提供している。実施形態１０に記載の装置中において、マニホールド本体は圧力トランスデューサーポートをさらに有し、回転弁体はトランスデューサー液体通路をさらに有している。
【００１８】
本発明の実施形態１２は、以下の装置を提供している。実施形態１１に記載の装置中において、トランスデューサー液体通路は半円形の溝をさらに有し、回転弁体の上辺縁部に位置している。
【００１９】
本発明の実施形態１３は、以下の装置を提供している。実施形態１１に記載の装置中において、マニホールド本体は圧力トランスデューサーポートを含み、前記圧力トランスデューサーポートは液体の流通過程で選択的に前記輸出ポートに接続され、前記圧力トランスデューサーポートは前記輸出ポート箇所の液体圧力を検出するように圧力トランスデューサーに接続され、前記回転弁体は、トランスデューサー液体通路を含む。
【００２０】
本発明の実施形態１４は、以下の装置を提供している。実施形態１１に記載の装置中において、前記トランスデューサー液体通路は、前記圧力トランスデューサーが前記注入ポートからの液体圧力を受けることを抑制又は阻止するものである。
【００２１】
本発明の実施形態１５は、以下の装置を提供している。実施形態１０に記載の装置中において、前記回転弁体及び前記静止弁体は前記中心キャビティに収納され、前記回転弁体及び前記静止弁体は平行に設けられている。
【００２２】
本発明の実施形態１６は、以下の装置を提供している。実施形態１０に記載の装置中において、気泡検出器は前記輸出ポートに接続され、前記輸出ポート中の液体内の気泡を検出する。
【００２３】
本発明の実施形態１７は、以下の装置を提供している。実施形態１０に記載の装置中において、気泡検出器は前記輸出ポート中の液体を突き通る光波の変化により、気泡を検出する。
【００２４】
本発明の実施形態１８は、以下の液体伝送システムを提供している。該液体伝送システムは一つの中心液体通路を有する中心回転バルブにより、注入ポート、第１液体ポート、第２液体ポートと患者端輸送ポートとの間を選択的に互いに接続させるマニホールドを備え、前記第１液体ポートは造影剤供給源に結合され、前記第２液体ポートは生理塩水供給源に結合され、前記注入ポートは注入装置に結合され、前記注入装置は、前記回転バルブが第１回転位置に位置したとき、前記造影剤供給源から液体を抽出し、前記回転バルブが第３回転位置に位置したとき、前記生理塩水供給源から液体を抽出し、前記回転バルブが第２回転位置に位置したとき、前記患者端輸送ポートにより液体を輸出する。
【００２５】
本発明の実施形態１９は、以下の液体伝送システムを提供している。実施形態１８に記載の液体伝送システム中において、前記マニホールドに位置した圧力トランスデューサーポートに接続された圧力トランスデューサーをさらに備える。
【００２６】
本発明の実施形態２０は、以下の液体伝送システムを提供している。実施形態１８及び１９中の一つの液体伝送システム又は任意の組合において、前記中心回転バルブが前記第１回転位置及び前記第２回転位置のいずれか一つの回転位置に位置したとき、前記マニホールドが前記患者端輸送ポートと前記圧力トランスデューサーポートとの間を互いに接続するようにする。
【００２７】
本発明の実施形態２１は、以下の液体伝送システムを提供している。実施形態１８から２０中の一つの液体伝送システム又は任意の組合において、前記患者端輸送ポートに接続された気泡検出器をさらに備える。
【００２８】
本発明の実施形態２２は、以下の液体伝送システムを提供している。実施形態１８から２１中の一つの液体伝送システム又は任意の組合において、前記気泡検出器は前記患者端輸送ポート中の液体を突き通る光波の変化により、気泡を検出する。
【００２９】
本発明の実施形態２３は、以下の液体伝送システムを提供している。実施形態１８から２２中の一つの液体伝送システム又は任意の組合において、前記造影剤供給源、前記生理塩水供給源及び前記注入装置の少なくとも一つを備える。
【００３０】
本発明の実施形態２４は、医療造影過程に回転型のマニホールドを使用する方法を提供し、以下の操作を含んでいる。中心回転バルブ、注入ポート、輸出ポート、第１液体ポート及び第２液体ポートを有する回転型のマニホールドを提供し、前記中心回転バルブは一つの中心縦方向延長液体通路を有し、前記中心縦方向延長液体通路は前記注入ポートに接続され、第１液体供給源を前記第１液体ポートに接続させ、第２液体供給源を前記第２液体ポートに接続させ、注射器を前記回転型のマニホールドの前記注入ポートに接続させ、患者端輸送装置を前記輸出ポートに接続させ、前記中心回転バルブの第１回転位置を選択し、前記第１回転位置は前記第１液体供給源と前記注射器とを互いに接続させ、液体を前記第１液体供給源から抽出して前記注射器に注入し、前記中心回転バルブの第２回転位置を選択し、前記第２回転位置は前記輸出ポートにより前記注射器と前記輸出ポートとを接続させ、前記第１液体供給源からの液体を、前記輸出ポートにより前記注射器から前記患者端輸送装置に注入し、前記中心回転バルブの第３回転位置を選択し、前記第３回転位置は前記注射器と前記第２液体供給源を互いに接続させ、液体を前記第２液体供給源から前記注射器に注入し、前記中心回転バルブの前記第２回転位置を選択し、前記第２液体供給源からの液体を、前記輸出ポートにより前記注射器から前記患者端輸送装置に注入する。
【００３１】
本発明の実施形態２５は、以下の方法を提供している。実施形態２４に記載の方法において、前記中心回転バルブの第４回転位置を選択し、前記第４回転位置は前記患者端輸送装置の圧力を監視・制御するように輸出ポートを圧力トランスデューサーポートに接続させる。
【００３２】
本発明の実施形態２６は、以下の方法を提供している。実施形態２４から２５中の一つの方法又は任意の組合において、前記回転バルブの第２位置は前記輸出ポートから前記注入ポートと密封領域になっている。実施形態２４から２５中の一つの方法又は任意の組合において、前記第１回転位置と、前記第２回転位置と、前記第３回転位置との回転位置は９０度を隔たっている。
【００３３】
本発明の実施形態２７は、以下の方法を提供している。実施形態２４から２６中の一つの方法又は任意の組合において、液体を注入するステップは、前記輸出ポートで気泡を検出することを含む。
【００３４】
本発明の実施形態２８は、以下の方法を提供している。実施形態２４から２７中の一つの方法又は任意の組合において、前記輸出ポートで気泡を検出するステップは、前記患者端輸送装置に注入された液体を突き通る光波の変化により、検出することを含む。
【００３５】
上述の発明は本発明が保護を求める客体を提供したが、本発明に対して唯一又は全部の解釈を提供したことではない。以下の実施形態では、本発明に関するより多い情報を提供している。
【００３６】
〔発明の効果〕
本発明者によれば、簡単なバルブ操作により実現でき、製造コストを低下し、医療廃料を少なくしたものが得られる。
【００３７】
〔図面の簡単な説明〕
本発明の図面において、同一の符号は各図面で類似する部材を標記するが、各部材は一定の比率に従って描かれたものではない。なお、異なる末数字付けの類似符号は類似する部材の異なる例の表示に用いられる。また、本発明は例を挙げることにより本発明の異なる実施形態を示しただけで、本発明を限定するものではない。
【００３８】
＜図１＞
本発明の実施形態における、回転型のマニホールドを用いて複数種類の液体を注入する構成図である。
【００３９】
＜図２Ａ＞
本発明における、回転型のマニホールドによって複数の液体供給源を患者端輸送装置に接続する管路図である。
【００４０】
＜図２Ｂ＞
本発明における、回転型のマニホールドによって複数の液体供給源を患者端輸送装置に接続する管路図である。
【００４１】
＜図２Ｃ＞
本発明における、回転型のマニホールドによって複数の液体供給源を患者端輸送装置に接続する管路図である。
【００４２】
＜図２Ｄ＞
本発明における、回転型のマニホールドによって複数の液体供給源を患者端輸送装置に接続する管路図である。
【００４３】
＜図３Ａ＞
回転型のマニホールドに用いられる回転バルブの管路図である。
【００４４】
＜図３Ｂ＞
回転型のマニホールドに用いられる回転バルブの管路図である。
【００４５】
＜図３Ｃ＞
回転型のマニホールドに用いられる回転バルブの管路図である。
【００４６】
＜図３Ｄ＞
回転型のマニホールドに用いられる回転バルブの管路図である。
【００４７】
＜図４Ａ＞
本発明の一実施形態における、回転型のマニホールドの管路図である。
【００４８】
＜図４Ｂ＞
本発明の一実施形態における、回転型のマニホールドの管路図である。
【００４９】
＜図４Ｃ＞
本発明の一実施形態における、回転型のマニホールドの管路図である。
【００５０】
＜図４Ｄ＞
本発明の一実施形態における、回転型のマニホールドの管路図である。
【００５１】
＜図５Ａ＞
本発明の他の一実施形態における、回転型のマニホールドの管路図である。
【００５２】
＜図５Ｂ＞
本発明の他の一実施形態における、回転型のマニホールドの管路図である。
【００５３】
＜図５Ｃ＞
本発明の他の一実施形態における、回転型のマニホールドの管路図である。
【００５４】
＜図５Ｄ＞
本発明の他の一実施形態における、回転型のマニホールドの管路図である。
【００５５】
＜図５Ｅ＞
本発明の他の一実施形態における、回転型のマニホールドの管路図である。
【００５６】
＜図６＞
本発明の一実施形態における、液体中の気泡を検出する構成図である。
【００５７】
＜図７Ａ＞
本発明の一実施形態における、気泡検出装置の構成図である。
【００５８】
＜図７Ｂ＞
本発明の一実施形態における、気泡検出装置の構成図である。
【００５９】
＜図８＞
本発明の一実施形態における、回転型のマニホールドを使用する方法のフローチャートである。
【００６０】
＜図９＞
本発明の一実施形態における、液体中の気泡を検出する方法のフローチャートである。
【００６１】
〔発明を実施するための形態〕
上記のように、血管造影法と類似する医療処置では、カテーテル又はそれに類似する装置によって各種の液体を患者の体内に注入する必要がある。また、標準的な医用マニホールドを用いる造影において、更に、複数種類のバルブを上手に取り扱う必要があり、異なる液体と患者の輸送装置との間で転換を繰り返す必要がある。しかし、後述の回転型のマニホールドは、液体供給源間の転換プロセスを簡略化することができ、圧力感知機能及び気泡検出機能のようなより多い機能を有することができる。
【００６２】
本発明は回転型のマニホールドシステムの実施形態を開示している。
【００６３】
図１は本発明の実施形態における、回転型のマニホールドシステム１００を利用して複数種類の液体を注射する構成図である。なお、回転型のマニホールドシステム１００は、回転型のマニホールド１０５と、注射器１３５と、造影剤供給源１４０と、生理食塩水供給源１４５と、患者端輸送装置（カテーテル）１５０とを含む。本実施形態において、回転型のマニホールド１０５は、注入ポート１１０と、第１液体ポート１１５と、第２液体ポート１２０と、輸出ポート１２５と回転盤１３０とを有する。いずれの実施形態において、このような回転型のマニホールドは圧力トランスデューサーポート１５５を更に有してもよい。ある実施形態において、回転型のマニホールドシステム１００は圧力トランスデューサー１６０を更に有してもよいし、該圧力トランスデューサーは圧力トランスデューサーポート１５５に接続される。一実施形態において、この回転型のマニホールドシステム１００は輸出ポート１２５に接続するか、又は輸出ポート１２５と共に集積された気泡検出器１８０を更に含んでもよい。なお、ある実施形態において、この造影剤供給源１４０と生理食塩水供給源１４５とは逆止め弁１６５、１７０を介して回転型のマニホールド１０５に接続されてもよい。
【００６４】
一実施形態において、注射器１３５は注入ポート１１０を介して回転型のマニホールド１０５に接続されてもよい。ある実施形態において、この注射器１３５は手動式針管であり得る。注射器について、以下でさらに説明する。なお、注射器１３５は液体供給源（例えば、造影剤供給源１４０又は生理食塩水供給源１４５）から液体を抽出し、その後回転型のマニホールド１０５によって液体を患者端輸送装置１５０への注入に用いられる。なお、他の実施形態において、手動注射器を装置の一部とするか、又は装置の一部としていない動力注射器１９０をこの注射器１３５として使用してもよい。ある実施形態において、この動力注射器１９０はコンピュータコントローラー１９５を有し得る。なお、このコンピュータコントローラー１９５は回転型のマニホールド１０５のモーター付きバージョン（motorized version）を制御する。モーター付きの回転型マニホールド１０５を使用する実施形態において、回転盤１３０は回転型のマニホールド１０５内でバルブステムを移動する一つの標準ステッピングモーター（又は類似装置）を有することができ、回転型のマニホールド１０５を選択的に通ることにより異なる液体に対する連通特性の選択を実現する。なお、コンピュータコントローラー１９５は動力注射器１９０と協調して動作し、回転型のマニホールド１０５を適用する液体注入が自動化プロセスになるようにする。
【００６５】
一実施形態において、第１液体ポート１１５を介して造影剤供給源１４０と回転型のマニホールド１０５を相互接続させることができる。また、いずれの実施形態において、逆止め弁１６５を介して造影剤供給源１４０と第１液体ポート１１５とを相互接続させることができる。同様に、第２液体ポート１２０を介して生理食塩水供給源１４５と回転型のマニホールド１０５とを相互接続させることもできる。また、ある実施形態において、逆止め弁１７０を介して生理食塩水供給源１４５と第２液体ポート１２０とを相互接続させることもできる。なお、逆止め弁１６５と逆止め弁１７０とは被動装置であり、これらの逆止め弁は回転型のマニホールド１０５から液体供給源容器に液体が逆流するのを防止するのに用いられるだけである。ここで、ある実施形態において、複数の液体供給源を第１液体ポート１１５（又は、第２液体ポート１２０）に接続することができる。これらの実施形態において、液体をこの注射器１３５に注入する際に必要な液体混合物を形成するように、複数の液体供給源を計測することができる。
【００６６】
同時に、輸出ポート１２５を介して患者端輸送装置１５０を回転型のマニホールド１０５に接続させることができる。特定の実施形態において、患者端輸送装置１５０はカテーテルであり得る。特定の実施形態において、回転型のマニホールド１０５により注入ポート１１０と第１液体ポート１１５、第２液体ポート１２０、又は輸出ポート１２５との間における選択的な液体連通特性を実現することができる。同時に、回転盤１３０により必要な液体連通特性の選択を実現することができる。
【００６７】
ある実施形態において、気泡検出器１８０は輸出ポート１２５と患者端輸送装置１５０との間に接続される。また、ある実施形態において、気泡検出器１８０は回転型のマニホールド１０５の輸出ポート１２５に集積される。一実施形態において、気泡検出器１８０は、気泡が回転型のマニホールドに入る前に検出されるように、注入ポート１１０に集積される。このような構造において、気泡検出器１８０は液体を注射器１３５から排出する際にのみ気泡を検出し、液体を注射器１３５に注入する時は、誤警報を最低に抑える。他のある実施形態において、操作する時に回転型のマニホールドシステム１００に気体が入らないように確保するために、複数の気泡検出器を注入ポート１１０、第１液体ポート１１５、生理食塩水供給源１４５及び輸出ポート１２５を有するいずれか一つのポートの組合せに接続又は集積することができる。その中、気泡検出器１８０は液体を患者端輸送装置１５０に注入する際に、液体中の気泡を検出することができる。同時に、この気泡検出器１８０は、操作者が患者の健康に危険な気泡が存在することに注意するように、聴覚警報装置及び／又は視覚警報装置に接続されることができる。以下、図５、図６Ａ〜６Ｂ及び図８を参照して、気泡検出器１８０の構造及び操作方法について詳細に説明する。
【００６８】
一実施形態において、回転型のマニホールド１０５は圧力トランスデューサーポート１５５を有し、圧力トランスデューサー１６０と接続されることにより患者体内の血圧のような圧力を感測することができる。回転型のマニホールド１０５は、液体が患者端輸送装置１５０に注入する際に、この圧力トランスデューサー１６０の敏感度により圧力トランスデューサーポート１５５と注入ポート１１０の間、又は圧力トランスデューサーポート１５５と輸出ポート１２５の間に連通（例えば、液体伝達）が発生することを防止することができる。
【００６９】
本発明は回転型のマニホールドの具体的な実施形態も開示している。
【００７０】
図２Ａないし図２Ｄは患者端輸送装置と複数の液体供給源を接続する回転型のマニホールドの管路図である。なお、図２Ａは一実施形態による回転型のマニホールド１０５の管路端面図である。ここで、回転型のマニホールド１０５は、輸出ポート１２５と、圧力トランスデューサーポート１５５と、中心キャビティ２１０と、輸出通路２２０と、圧力通路２３０とを有する。なお、輸出ポート１２５と圧力トランスデューサーポート１５５は図１と同様の符号を使用している。これらのポートは回転型のマニホールド１０５に物理的な接続及び液体による連通性を提供する。一実施形態において、ルアーテーパーは液体に対する小型接続に用いられる標準システムであり、このような標準システムはオステーパー部材とメステーパー部材の間で漏れがない接続を提供できる。一実施形態において、造影剤供給源１４０、生理食塩水供給源１４５、注射器１３５及び患者端輸送装置１５０に位置するメステーパー部材と接続するように、回転型のマニホールド１０５のポートにオステーパー部材を配置する。
【００７１】
一実施形態において、輸出ポート１２５は輸出通路２２０によって中心キャビティ２１０と相互接続する。なお、中心キャビティ２１０は一つのバルブステムを有し、当該バルブステムは輸出通路２２０及び圧力通路２３０のような他の液体又は圧力通路に選択的な液体連通特性を提供できる。ここで、圧力通路２３０と圧力トランスデューサーポート１５５とは相互連結され、且つ中心キャビティ２１０に通じる。
【００７２】
一実施形態において、中心キャビティ２１０は階段の構造を有し、当該階段の構造は異なる液体通路と調和させた異なる直径２５０及び直径２５５（例えば、直径２５５は輸出通路２２０と圧力通路２３０に関わる）を有する。同時に、この中心キャビティ２１０は更に固定フランジ２４０を有し、当該固定フランジ２４０はバルブステムを中心キャビティ２１０に固定するために用いられる。一実施形態において、この固定フランジ２４０は、更に中心キャビティ２１０とバルブステムとの間で係合部材の連結を提供する。
【００７３】
図２Ｂは一実施形態による回転型のマニホールド１０５の管路断面図である。ここで、図２Ｂに示される回転型のマニホールド１０５は、第１液体ポート１１５と、第２液体ポート１２０と、輸出ポート１２５と、中心キャビティ２１０と、輸出通路２２０と、第１液体通路２６０と、第２液体通路２６５とを有する。一実施形態において、第１液体ポート１１５は第１液体通路２６０によって中心キャビティ２１０と相互接続される。同時に、第２液体ポート１２０は第２液体通路２６５によって中心キャビティ２１０と相互接続される。なお、他の実施形態において、バルブステム（図示されていない）と結合された第１液体通路２６０は、第１液体ポート１１５と注入ポート１１０の間で液体による接続を形成し得る。同様に、バルブステムと接続された第２液体通路２６５は第２液体ポート１２０と注入ポート１１０の間で液体による接続を形成し得る。
【００７４】
図２Ｃは回転型のマニホールド１０５のＢ−Ｂ線管路断面図である。図２Ｃの断面図において、回転型のマニホールド１０５は、第１液体ポート１１５と、第２液体ポート１２０と、第１液体通路２６０と、第２液体通路２６５と、中心キャビティ２１０とを有する。
【００７５】
図２Ｄは回転型のマニホールド１０５のＡ−Ａ線管路断面図である。図２Ｄの断面図において、回転型のマニホールド１０５は、圧力トランスデューサーポート１５５と、圧力通路２３０と、輸出通路２２０と、中心キャビティ２１０とを有する。
【００７６】
図３Ａないし図３Ｄは回転型のマニホールドに用いられるバルブステムの管路図である。図３Ａは回転型のマニホールド１０５に用いられるバルブステム３００の一実施形態の縦断面図である。このようなバルブステム３００は、注入ポート１１０と、中心液体通路３１０と、複数のリブ材３１５（図３Ｃを参照）と、複数のデテント部位３２０Ａ、３２０Ｃ（３２０と総称する）と、第１垂直液体通路３３０と、第２垂直液体通路３４０と、圧力通路３５０と末端３６０とを有し得る。
【００７７】
一実施形態において、中心液体通路３１０は、注入ポート１１０と第１液体ポート１１５、第２液体ポート１２０又は輸出ポート１２５の間でメイン液体線路を提供する。同時に、この中心液体通路３１０と接続されたものとして、更に、第１液体ポート１１５、第２液体ポート１２０及び輸出ポート１２５を選択的に中心液体通路３１０に接続する二つの別途の液体通路（例えば、第１垂直液体通路３３０と第２垂直液体通路３４０）がある。一実施形態において、注入ポート１１０の回転位置によって液体ポートを接続することができる。
【００７８】
なお、複数のデテント部位３２０は、それぞれ第１液体ポート１１５、第２液体ポート１２０及び輸出ポート１２５が中心液体通路３１０と接続する位置に対応する。例えば、デテント部位３２０Ａにおいて、第１垂直液体通路３３０によって第１液体ポート１１５を中心液体通路３１０に接続することができる。同時に、このデテント部位３２０Ａにおける他のポート（例えば、第２液体ポート１２０、輸出ポート１２５、或いは圧力トランスデューサーポート１５５）は中心液体通路３１０と接続されていない。第３デテント部位３２０Ｃにおいて、第１垂直液体通路３３０によって第２液体ポート１２０を中心液体通路３１０に接続することができる。また、第２デテント部位３２０Ｂ（図３Ａに図示されていない）において、第２垂直液体通路３４０によって輸出ポート１２５を中心液体通路３１０に接続することができる。なお、第３デテント部位において、注入ポート１１０に接続された注射器１３５は、第２垂直液体通路３４０によって液体を中心液体通路３１０に注入し、また輸出通路２２０と輸出ポート１２５によって液体が回転型のマニホールド１０５から流れるようにする。
【００７９】
一実施形態において、第１垂直液体通路３３０の回転位置がどこにあっても、半円形の圧力通路３５０は中心液体通路３１０と液体による接続を形成することができない。よって、圧力トランスデューサー１６０は注射器１３５と直接接続することができない。ここで、注入ポート１１０と圧力トランスデューサーポート１５５の間で液体による接続が存在しないため、圧力トランスデューサー１６０が注射器１３５による高圧を受けることを防止できる。
【００８０】
図３Ｂは回転型のマニホールド１０５内のバルブステム３００のＡ−Ａ線管路断面図である。図３Ｂに示されるバルブステム３００の断面図には、中心液体通路３１０と、第２垂直液体通路３４０と、半円形圧力通路３５０とが含まれている。この実施形態の特徴として、圧力通路３５０と中心液体通路３１０の間に接続関係が存在しない。
【００８１】
図３Ｃは回転型のマニホールド１０５内のバルブステム３００のＢ−Ｂ線管路断面図である。図３Ｃに示されるバルブステム３００の断面図には、中心液体通路３１０と、リブ材３１５Ａないし３１５Ｎ（リブ材３１５と統称する）とが含まれている。本発明の実施形態において、回転盤１３０はリブ材３１５によってバルブステム３００に接続される。
【００８２】
図３Ｄは回転型のマニホールド１０５内のバルブステム３００のＣ−Ｃ線管路断面図である。図３Ｄに示されるバルブステム３００の断面図には、中心液体通路３１０とデテント部位３２０が含まれている。本実施形態において、デテント部位３２０Ａないしデテント部位３２０Ｄを９０度の回転角度間隔で相互分離させる。なお、他の実施形態において、デテント部位３２０は異なる回転方向を有し得る。例えば、０度（デテント部位３２０Ａ）と、９０度（デテント部位３２０Ｂ）と、１８０度（デテント部位３２０Ｃ）と、２７０度（デテント部位３２０Ｄ）と有する。一実施形態において、これらのデテント部位３２０はそれぞれ第１液体ポート１１５と、第２液体ポート１２０と、輸出ポート１２５と関わる回転位置に位置合わせる。なお、いずれかの実施形態において、第３デテント部位は異なる回転位置において第１液体ポート１１５及び第２液体ポート１２０と同様の平面に含まれる。なお、他の実施形態において、液体ポートと輸出ポートの数量によって、バルブステム３００は四個未満又は四個以上のデテント部位を含むことができる。
【００８３】
図４Ａから図４Ｄは、一実施形態における回転型のマニホールドの管路図であり、なお、図４Ａは回転型のマニホールド４００の断面図である。本実施形態において、この回転型のマニホールド４００は、マニホールド本体４０５と、注入ポート４１０と、中心液体通路４１５と、第１液体ポート４２０と、第２液体ポート４３０と、バルブステム４４０と、輸出ポート４６０と、回転盤４７０とを含んでもよい。一実施形態において、この第１液体ポート４２０は第１液体通路４２２を含んでもよい。バルブステム４４０が第１回転位置、例えば図４Ａに示された回転位置にあるとき、この第１液体通路４２２が第１垂直液体通路４４５に連結される。また、第２液体ポート４３０は第２液体通路４３２を含んでもよい。一実施形態において、バルブステム４４０を第３回転位置まで回転させて第１垂直液体通路４４５と第２液体通路４３２とを位置合わせて、注入ポート４１０と第２液体ポート４３０との間に液体連通性を提供することができる。本実施形態に説明された第１回転位置と第２回転位置とは相対位置にすぎず、絶対位置を説明するために意識的に設定したものではないとの点に注意する必要がある。例えば、他の一実施形態において、第１垂直液体通路４４５と第２液体通路４３２とを位置合わせたとき、第１回転位置を用いて説明してもよい。同時に、バルブステム４４０は第２垂直液体通路４５０と半円形圧力通路４５５とを含んでもよい。一実施形態において、この回転型のマニホールド４００はスナップリング収納装置４７５を含んでもよいし、このスナップリング収納装置４７５はバルブステム４４０のマニホールド本体４０５への保持に用いられる。
【００８４】
図４Ｂは、回転型のマニホールド４００の断面管路図である。この実施形態において、回転型のマニホールド４００は、マニホールド本体４０５と、注入ポート４１０と、中心液体通路４１５と、バルブステム４４０と、輸出ポート４６０と、回転盤４７０と、デテントボール４８０と、デテントバイアス装置４８５と、圧力トランスデューサーポート４９０とを含んでもよい。本実施形態において、圧力トランスデューサーポートは圧力通路４９２を含んでもよいし、この圧力通路４９２はバルブステム４４０の外縁を分割することにより形成された半円形圧力通路４５５に接続されてもよい。本実施形態において、半円形圧力通路４５５は同一の垂直平面で第２垂直液体通路４５０と位置合わせる。しかし、図４Ａに示されたように、少なくとも本実施形態において、第２垂直液体通路４５０は半円形圧力通路４５５と交差しない。本実施形態において、示された半円形圧力通路４５５は圧力通路４９２及び輸出通路４６２を介して圧力トランスデューサーポート４９０と輸出ポート４６０との間に液体接続が形成される。
【００８５】
一実施形態において、第２垂直液体通路４５０と輸出通路４６２とを位置合わせるように、第２垂直液体通路４５０を回転させて、中心液体通路４１５を介して注入ポート４１０と輸出ポート４６０との間に液体接続が形成される。
【００８６】
ここで、バルブステム４４０を回転盤４７０によりマニホールド本体４０５中で回転させる。同時に、完全位置決めを提供するために、バルブステム４４０の機能的な回転位置ごとに、デテントバイアス装置４８５に接続されるデテントボール４８０を設けてもよい。なお、これら機能的な回転位置は、第１液体ポート４２０、第２液体ポート４３０又は輸出ポート４６０のいずれか一つのポートと注入ポート４１０との間に液体接続を形成する複数の位置を含んでいる。また、他の一実施形態において、そのほかの機能的な回転位置は他の液体又は廃料ポート（図示しない）と注入ポート４１０との間に液体接続が形成される回転位置でもよい。
【００８７】
該実施形態において、注入ポート４１０が輸出ポート４６０に接続されなければ、半円形圧力通路４５５は全ての機能的な回転位置で輸出ポート４６０と圧力トランスデューサーポート４９０との間に液体接続を提供する。また、注入ポート４１０が輸出ポート４６０に接続されたとき、ポートの他の部分により圧力トランスデューサーポート４９０を密封してもよい。
【００８８】
図４Ｃは、Ａ−Ａ方向の回転型のマニホールド４００の断面管路図である。図４Ｃに示されたＡ−Ａ方向の回転型のマニホールド４００の断面図は、中心液体通路４１５と、第１液体ポート４２０と、第２液体ポート４３０と、バルブステム４４０と、第２垂直液体通路４５０と、半円形圧力通路４５５と、輸出通路４６２と、回転盤４７０と、圧力トランスデューサーポート４９０と、圧力通路４９２とを含んでいる。
【００８９】
本発明の実施形態において、バルブステム４４０は一つの回転位置に位置し、この回転位置は圧力トランスデューサーポート４９０を半円形圧力通路４５５により輸出通路４６２に接続させることができる。この位置では、圧力トランスデューサーポート４９０に接続された圧力トランスデューサーは患者体内の圧力を検出することができる。同時に、この実施形態において、該回転位置では、例えば、輸出ポート４６０が輸出通路を介して圧力トランスデューサーポート４９０に接続されたとき、中心液体通路４１５が輸出ポート４６０に接続されていない。
【００９０】
図４Ｄは、Ｂ−Ｂの回転型のマニホールド４００の断面管路図である。回転型のマニホールド４００のＢ−Ｂ方向の断面図は、中心液体通路４１５と、第１液体ポート４２０と、第１液体通路４２２と、第２液体ポート４３０と、第２液体通路４３２と、バルブステム４４０と、第１垂直液体通路４４５と、回転盤４７０とを含んでいる。本実施形態において、バルブステム４４０は一つの回転位置に位置し、この回転位置は第１液体ポート４２０を第１液体通路４２２及び第１垂直液体通路４４５により中心液体通路４１５に接続させることができる。本実施形態において、中心液体通路４１５と第２液体ポート４３０とが接続されるように、バルブステム４４０を１８０度回転することができる。
【００９１】
図４Ａ及び図４Ｂに示された実施形態において、回転型のマニホールド４００は第１回転位置と、第２回転位置と、第３回転位置との三つの回転位置を含んでいる。なお、図４Ｄに示された第１回転位置は、第１液体ポート４２０を中心液体通路４１５及び第１垂直液体通路４４５により注入ポート４１０に接続させることができる。第１回転位置から反時計方向に９０度回転して得られた第２回転位置は、輸出ポート４６０を中心液体通路４１５及び第２垂直液体通路４５０により注入ポート４１０に接続させることができる。また、第２回転位置から反時計方向に９０度回転して得られた第３回転位置は、第２液体ポート４３０を中心液体通路４１５及び第１垂直液体通路４４５により注入ポート４１０に接続させることができる。本実施形態において、第１回転位置及び第３回転位置では輸出ポート４６０を半円形圧力通路４５５により圧力トランスデューサーポート４９０に接続させることができる。
【００９２】
図５Ａから図５Ｅは、本発明の他の一実施形態における回転型のマニホールドに用いられるバルブステムを示した管路図である。図５Ａから図５Ｅは本発明の説明のみに用いられ、実際の比例で描かれているものではない。この実施形態において、回転型のマニホールド５００はマニホールド本体５０５及びバルブシステムを含み、なお、マニホールド本体５０５は中心キャビティと、注入ポート５１０と、第１液体ポート５２０と、第２液体ポート５３０と、輸出ポート５６０とを含み、バルブステムシステムは回転弁体５４１と、静止弁体５４２と、バルブステム５４０とを含んでいる。ここで、回転弁体５４１及び静止弁体５４２はマニホールド本体５０５の中心キャビティ内に互いに平行にデテントられている。一実施形態において、回転弁体５４１はバルブステム５４０に接続されるか、バルブステム５４０と一体集積されて、両者が一緒に回転する。同時に、この回転型のマニホールド５００は回転盤５７０をさらに含み、この回転盤５７０はバルブステム５４０を回転させるためにバルブステム５４０にデテントられている。そのほか、マニホールド本体５０５は圧力トランスデューサーポート（図示しない）をさらに含んでいる。なお、第１液体ポート５２０は第１液体通路５２２を含み、且つ第２液体ポート５３０は第２液体通路５３２を含んでもよい。本実施形態において、図５Ｂ、図５Ｃ、図５Ｄ及び図５Ｅに示されたように、回転弁体５４１は延長液体通路５４５及び半円形圧力通路５５５を含んでいる。同時に、この回転弁体５４１は、第１回転位置（図５Ａに示されたように）と、第２回転位置と、第３回転位置を有している。なお、静止弁体５４２は四つの貫通孔（図５Ｅに示されたように）を有する構成であり、これら貫通孔は第１液体通路、第２液体通路、輸出通路及び圧力通路にそれぞれ接続されている。一実施形態において、延長液体通路５４５を第１液体通路に接続された静止弁体５４２の貫通孔に位置合わせるように、そのバルブステム５４０は回転弁体５４１とともに第１回転位置まで回転して、注入ポート５１０と第１液体ポート５２０との間に液体接続が形成される（図５Ａに示されたように）。また、第１回転位置では、中心回転バルブが第１回転位置又は第３回転位置のいずれか一つの回転位置に位置しているとき、そのマニホールドが輸出ポートと圧力トランスデューサーポートとの間に内部相通構成を形成することができる。なお、第１回転位置と第３回転位置とは相対位置にすぎず、絶対位置を説明するために意識的に設定したものではないとの点に注意する必要がある。例えば、他の一実施形態において、第３回転位置を用いて、延長液体通路５４５が第２液体通路５３２に接続された静止弁体５４２の貫通孔に位置合わせたときの場合を説明する。
【００９３】
図５Ｂから図５Ｄはそれぞれに静止弁体５４２に対する回転弁体５４１の第１、第２及び第３回転位置を示し、また、図５Ｅは回転弁体５４１及び静止弁体５４２の構成を示している。上述のように、第１回転位置では回転弁体５４１の延長液体通路５４５が静止弁体５４２の貫通孔に位置合わせ、この静止弁体５４２が第１液体通路ポートの第１液体通路に接続して、注入ポート５１０と第１液体ポート５２０との間に液体接続が形成される。同時に、輸出ポート５６０が圧力通路を介して圧力トランスデューサーポートに接続される。また、第１回転位置から時計方向に９０度回転して到着した第２回転位置（図５Ｃに示されたように）では、回転弁体５４１の延長液体通路５４５が輸出ポート５６０に接続された静止弁体５４２の貫通孔と位置合わせて、注入ポート５１０と輸出ポート５６０との間に液体接続が形成される。第２回転位置から時計方向に９０度回転して到着した第３回転位置（図５Ｄに示されたように）では、回転弁体５４１の延長液体通路５４５が第２液体ポート５３０に接続された静止弁体５４２の貫通孔と位置合わせている。そして、輸出ポート５６０を半円形圧力通路５５５により圧力トランスデューサーポートに接続することができる。本実施形態において、第１回転位置及び第３回転位置では、いずれも輸出ポート５６０を半円形圧力通路５５５により圧力トランスデューサーポートに接続することができる。
【００９４】
ここで、マニホールド本体５０５において、回転弁体５４１の回転過程は回転盤５７０により完成することができる。なお、回転弁体５４１の機能的な回転位置ごとに、デテントバイアス装置（図示しない）付けのデテントボールを用いて完全位置決めを提供することができる。なお、これら機能的な回転位置は、注入ポート５１０と、第１液体ポート５２０、第２液体ポート５３０又は輸出ポート５６０のいずれか一つのポートとの間に液体連通性を形成する複数の位置である。また、ある実施形態において、そのほかの機能的な回転位置は、他の液体又は廃料ポート（図示しない）と注入ポート５１０との間に液体連通性を形成するための回転位置をさらに含んでいる。
【００９５】
図４Ａから図４Ｄに示された実施形態において、マニホールドはプラスチックからなる回転可能な中空円筒をプラスチックからなる管筒状の円柱体に対して回転させることにより形成されたものである。また、図４Ａから図４Ｄに示された実施形態とは異なり、図５Ａから図５Ｅに示された実施形態において、マニホールドは回転可能な円柱状セラミック片をそれに平行な静態円柱状セラミック片に対して回転させることにより形成されたものである。
【００９６】
本発明は、気泡検出器の実施形態をさらに開示している。図６は、液体中の気泡に対して検出するためのシステム６００の構成図である。なお、このシステム６００はコンピュータ６２０と接続された気泡検出器１８０を含んでもよい。ある実施形態において、このコンピュータ６２０はコネクタ６２５及びコントローラ６３０を含んでもよい。また、ある実施形態において、このシステム６００は聴覚警報装置６４０及び視覚警報装置６５０を含んでもよい。一実施形態において、この気泡検出器はコンピュータ６２０におけるコネクタ６２５と感応接続してもよい。また、コントローラ６３０は、気泡検出器１８０を制御し信号を聴覚警報装置６４０及び/又は視覚警報装置６５０に伝送するように、プログラム（ソフトウェア、又は現場プログラム可能なゲートアレイなどのプログラム可能なハードウェア）を含んでもよい。
【００９７】
図７Ａ及び図７Ｂは、気泡検出器１８０の一つの実施形態の構成図である。なお、この気泡検出器１８０は、トランスデューサー本体７０５と、発光装置７１０と、検出器７２０とを含んでもよい。この実施形態において、発光装置７１０は発光装置７１０からの光照射の制御に用いられる回路接続７１５を含んでもよい。同時に、検出器７２０は検出器７２０の制御に用いられる回路接続７２５を含んでもよい。なお、発光装置の回路接続７１５と検出器の回路接続７２５とはコンピュータ６２０に感応接続されてもよい。同時に、検出器の回路接続７２５は、分析のために、検出器７２０から受け取った光照射に関する情報をコンピュータ６２０に伝送する。
【００９８】
なお、図７Ａは、輸出ポート１２５における一般的な流体が流れるときの気泡検出器１８０の実施形態を示した構成図である。図７Ａに説明された条件では、検出器７２０が発光装置７１０から安定で連続的な光波を受け取れる。図７Ｂは、輸出ポート１２５内の液体の流れに気泡を含んでいるときの気泡検出器１８０の実施形態を示した構成図である。図７Ｂに示された実施形態では、検出器７２０が発光装置７１０から受け取れた光波の不連続を検出して、検出器７２０が液体の中に気泡があるとのメッセージを送り出す。
【００９９】
同時に、本発明は回転型のマニホールドの使用方向の実施形態を開示している。図８は、回転型のマニホールドの使用方法８００のフローチャートである。使用方法８００は、回転型のマニホールドの配置（ステップ８０５）と、第１液体供給源及び第２液体供給源をマニホールドへの接続（ステップ８１０及びステップ８１５）と、注射器の注入ポートへの接続（ステップ８２０）と、患者端輸送装置の輸出ポートへの接続（ステップ８２５）と、第１回転位置の選択（ステップ８３０）と、第１液体供給源からの液体の抽出（ステップ８３５）と、第２回転位置の選択（ステップ８４０）と、注射器からの液体の釈放（ステップ８４５）と、第３回転位置の選択（ステップ８５０）と、第２液体供給源からの液体の抽出（ステップ８５５）と、第２回転位置の選択（ステップ８６０）と、注射器からの液体の釈放（ステップ８６５）とを含んでもよい。
【０１００】
ここで、回転型のマニホールド１０５を配置したとき、医者又は技術者はステップ８０５からこの使用方法８００を実施してもよい。また、本実施形態の他の部分については、上述の過程が実施できる医療業務員を技術者と称するが、前記技術者は医者、看護士、放射課業務員又はその他の医者資格を持っている医療業務員であればよい。ステップ８１０では、技術者が第１液体供給源、例えば造影剤供給源１４０を第１液体ポート１１５に接続して、この使用方法８００の実施を続けることができる。次のステップ（ステップ８１５）では、技術者が第２液体供給源、例えば生理塩水供給源１４５を第２液体ポート１２０に接続して、この使用方法８００の実施を続けることができる。同時に、ステップ８１０及びステップ８１５は、技術者が複数の逆止め弁（逆止め弁１６５、逆止め弁１７０）を回転型のマニホールド１０５と造影剤供給源１４０、生理塩水供給源１４５との間にそれぞれ接続させる。
【０１０１】
ステップ８２０では、技術者が注射器１３５（又は、その他の類似している注入装置）を回転型のマニホールド１０５の注入ポート１１０に接続することで、この使用方法８００の実施を続けることができる。ステップ８２５では、技術者が患者端輸送装置、例えばカテーテル１５０を輸出ポート１２５に接続することで、この使用方法８００の実施を続けることができる。同時に、技術者は、気泡検出器１８０をカテーテル１５０に接続する前に、気泡検出器１８０を予め選択的に輸出ポート１２５に接続することができる。
【０１０２】
ステップ８３０では、技術者は回転盤１３０を介して第１回転位置を選択することができる。この回転盤１３０は、回転位置ごとを指示する視覚指示信号、例えば液体種類又は各位置で完成したステップを表示するキャラクターを含んでいる。血管の造影法を一例として、造影剤の符号「Ｃ」で第１回転位置を表示することができる。また、その他の回転位置も視覚信号を含み、例えば符号「Ｓ」で生理塩水を表示し、符号「Ｏ」で輸出を表示する。回転盤１３０上の視覚信号は１、２、３、４などで選択的に簡単に各回転位置を表示することができる。
【０１０３】
ステップ８３５では、技術者が造影剤供給源１４０中の液体を注射器１３５内に抽出することで、この使用方法８００の実施を続けることができる。なお、液体を注射器１３５中に抽出する過程に用いられる方式は、マニホールドがない場合に液体を注射器に注入する方式に類似している（例えば、簡単に注射器のピストンを引っ張り、注射器内を真空状態に形成して液体を注射器に抽出する）。
【０１０４】
ステップ８４０では、技術者が回転盤１３０により回転型のマニホールド１０５の第２回転位置を選択することで、この使用方法８００の実施を続けることができる。本実施形態において、第２回転位置は注入ポート１１０を輸出ポート１２５に接続させることができる。第２回転位置にあるとき、技術者は回転型のマニホールド１０５を介して注射器１３５からの液体を患者端輸送装置１５０に注入して、この使用方法８００のステップ８４５の実施を続ける。
【０１０５】
ステップ８５０では、技術者が回転盤１３０により回転型のマニホールド１０５の第３回転位置を選択する。なお、この回転盤１３０の回転は回転盤１３０に接続されたバルブステム３００を回転することができる。この実施形態において、第３位回転位置は注入ポート１１０を第２液体ポート１２０に接続させることができる。ステップ８５５では、技術者が生理塩水供給源１４５（例えば、第２液体供給源）からの液体を注射器１３５に注入することで、この使用方法８００の実施を続けることができる。
【０１０６】
ステップ８６０では、技術者が回転盤１３０を第２回転位置に回転戻せることで、注入ポート１１０を再び輸出ポート１２５に接続して、この使用方法８００の実施を続けることができる。第２回転位置に戻り、技術者は注射器１３５からの液体をカテーテル１５０に注入することで、この使用方法８００の実施を続けることができる。この実施形態において、ステップ８６５でカテーテル１５０に注入される液体は第２液体供給源（例えば、生理塩水供給源１４５）からのものである。
【０１０７】
ここで、使用方法８００は例えば血管造影法の医療処置に応用される回転型のマニホールド１０５の実施方法である。ところが、上述のステップのいずれの組み合わせにより、この回転型のマニホールド１０５に用いられる異なる液体を注射することができる。また、この処置で二種類以上の液体又は余分な液体を処理する廃液ポートが必要であれば、一つ又は複数の付加ポートを有する回転型のマニホールドが用いられてもよい。
【０１０８】
上述のように、使用方法８００に示された処置において、圧力トランスデューサー１６０を圧力トランスデューサーポート１５５に接続して、患者の体内の圧力を検出することができる。例えば、この回転型のマニホールド１０５は、圧力トランスデューサー１６０が使用方法８００に説明されたように第１回転位置及び第３回転位置における圧力対して検出するようにする。
【０１０９】
ある実施形態の処置において、一つの注射過程により患者に複数種類の液体の混合物を注射する必要がある可能性もある。これら実施形態において、回転型のマニホールド１０５は、複数種類の液体を注射器１３５中に注入することができる。例えば、第１液体供給源１４０が注射器１３５に接続されるように、回転型のマニホールド１０５を回転することができる。この第１位置では、技術者が必要量に応じて第１液体を注射器１３５内に抽入することができる。そして、第２液体供給源１４５が注射器１３５に接続されるように、回転型のマニホールド１０５を回転することができる。この第３位置では、必要な混合物を形成するように、技術者が第２液体を注射器１３５内に抽入することができる。最後に、輸出ポート１２５が注射器１３５にカップリングし混合液体が患者端輸送装置１５０中に注入されるように、回転型のマニホールド１０５を回転することができる。回転型のマニホールドがその他の液体ポートを含んでいるとき、このような混合物はその他の液体を含んでもよい点に注意する必要がある。
【０１１０】
図９は、液体中の気泡を検出する検出方法９００のフローチャートである。このような検出方法９００は、既知の波長の光波の発生（ステップ９０５）と；液体を通り抜けた光波の受け取り（ステップ９１０）と；受け取った光波波長の確定（ステップ９１５）と；受け取った光波波長中のいずれの変化の検出（ステップ９２０）と；制御信号の発生（ステップ９２５）とを含んでもよい。検出方法９００は、聴覚警報信号の音の発生（ステップ９３０）と、視覚警報信号の触発（ステップ９３５）とを含むことが好ましい。
【０１１１】
なお、検出方法９００はステップ９０５から始まり、すなわち、発光装置７１０が既知の波長で光波を発生する。実施形態において、光波は輸出ポート１２５で回転型のマニホールド１０５中の液体を通り抜ける。ステップ９１０では、検出器７２０により輸出ポート１２５中の液体を通り抜けた光波を受け取って検出方法９００を続ける。一実施形態において、分析のために、検出器７２０が光波を受け取ったことを表示する情報をコンピュータ６２０に伝送することができる。また、ステップ９１５では、コンピュータ６２０により検出器７２０が受け取った光の波長を確定して、この検出方法９００の実施を続けることができる。ステップ９２０では、この検出方法９００において、コンピュータ６２０により検出器７２０で受け取った光照射中に波長の変化が検出されているか否かを確定することができる。波長の変化が検出されれば、ステップ９２５でコントローラ６３０により制御信号を発生して、この検出方法９００の実施を続けることができる。ある実施形態において、コントローラ６３０は制御信号を聴覚警報装置６４０に伝送して、聴覚警報信号が音を発生するようにする。なお、この聴覚警報信号はこの患者端輸送装置１５０中に気泡が進入している可能性があると技術者に通知する。また、ある実施形態において、ステップ９３５ではコントローラ６３０により制御信号を視覚警報器に伝送することができる。また、この制御信号は一つの視覚警報信号を触発して、この患者端輸送装置１５０中に気泡が進入している可能性があると技術者に通知する。
【０１１２】
上述のように、気泡検出器１８０は輸出ポート１２５中に集積してもよい。同時に、気泡検出器１８０が注入ポート１１０、第１液体ポート１１５又は第２液体ポート１２０にカップリング又は集積してもよい。ある実施形態において、気泡が患者端輸送装置１５０に侵入を防止する技術者の能力を向上するために、複数の気泡検出器を回転型のマニホールド１０５に集積してもよい。
【０１１３】
上述の説明は、発明を実施するための形態の一部を構成する図面の説明を含んでいる。図示の内容により、本発明を実施するための形態を実施することができる。これら発明を実施するための形態は「実施形態」と呼ばれる。このような実施形態は表示及び説明された装置以外の装置を含んでもよい。ところが、本発明人は表示及び説明された装置のみを用いて技術が成熟した実施形態を提供している。
【０１１４】
本発明では単独に公開文献、特許技術及び特許文献を示しているが、これら公開文献、特許技術及び特許文献は全てが全文引用となる。本願と引用文献との異なる使用方法において、引用文献における使用方法は本発明の補足として理解し、両者の矛盾しているところは本発明を基準とする。
【０１１５】
本発明において、明細書に用いられた「一」又は「一つ」は一つ又は一つより多い場合を示しているが、「少なくとも一つ」又は「一つ又は複数」の使い方とは異なる。特に説明がなければ、本発明の「又は」は選択性を示し、例えば、「Ａ又はＢ」は、「Ａで、Ｂではない」、「Ｂで、Ａではない」及び「同時にＡ及びＢである」との意味を含んでいる。本願の請求項において、「含む（including）」及び「なお（in which）」は、英語の「からなる（comprising）」「そこで（wherein）」に相当する。同時に、本願の請求項では「含む」及び「からなる」は開放的な使い方で、換言すれば、記載された構成要件の以外に保護を求めたシステム、装置、物品又は方法も全てが保護の範囲に含まれている。また、本願の請求項において、「第１」、「第２」、「第３」などは分類にすぎず、番号で客体を制限するものではない。
【０１１６】
ここで、上述の説明は描写にすぎず、制限するものではない。例えば、上述の実施形態（又は実施形態の一つ又は複数の方面）は互いに結合することもできる。当業者は以上の描写により他の実施形態を適用することもできる。要約部分はアメリカ連邦法律§1.72(b)に一致し、読者がより早く本発明の本質特徴を確定することができる。しかし、この要約部分の提出は本願の請求項が保護しようとする範囲又は意味を解釈又は制限するものではない。同時に、本願をより合理化するために、上述の実施形態をグループにすることができる。しかし、請求項において保護を求めていない技術特徴が重要ではないとの意味ではない。また、本願の発明本体が備えている技術特徴は、説明された実施形態の技術特徴より少ない。そのため、各実施形態による各請求項自身は、本発明を実施するための形態に一致している。また、本願の保護範囲は、特許になった後の各請求項の全ての等価物の範囲により確定される。
【図面の簡単な説明】
【０１１７】
【図１】本発明の実施形態における、回転型のマニホールドを用いて複数種類の液体を注入する構成図である。
【図２Ａ】本発明における、回転型のマニホールドによって複数の液体供給源を患者端輸送装置に接続する管路図である。
【図２Ｂ】本発明における、回転型のマニホールドによって複数の液体供給源を患者端輸送装置に接続する管路図である。
【図２Ｃ】本発明における、回転型のマニホールドによって複数の液体供給源を患者端輸送装置に接続する管路図である。
【図２Ｄ】本発明における、回転型のマニホールドによって複数の液体供給源を患者端輸送装置に接続する管路図である。
【図３Ａ】回転型のマニホールドに用いられる回転バルブの管路図である。
【図３Ｂ】回転型のマニホールドに用いられる回転バルブの管路図である。
【図３Ｃ】回転型のマニホールドに用いられる回転バルブの管路図である。
【図３Ｄ】回転型のマニホールドに用いられる回転バルブの管路図である。
【図４Ａ】本発明の一実施形態における、回転型のマニホールドの管路図である。
【図４Ｂ】本発明の一実施形態における、回転型のマニホールドの管路図である。
【図４Ｃ】本発明の一実施形態における、回転型のマニホールドの管路図である。
【図４Ｄ】本発明の一実施形態における、回転型のマニホールドの管路図である。
【図５Ａ】本発明の他の一実施形態における、回転型のマニホールドの管路図である。
【図５Ｂ】本発明の他の一実施形態における、回転型のマニホールドの管路図である。
【図５Ｃ】本発明の他の一実施形態における、回転型のマニホールドの管路図である。
【図５Ｄ】本発明の他の一実施形態における、回転型のマニホールドの管路図である。
【図５Ｅ】本発明の他の一実施形態における、回転型のマニホールドの管路図である。
【図６】本発明の一実施形態における、液体中の気泡を検出する構成図である。
【図７Ａ】本発明の一実施形態における、気泡検出装置の構成図である。
【図７Ｂ】本発明の一実施形態における、気泡検出装置の構成図である。
【図８】本発明の一実施形態における、回転型のマニホールドを使用する方法のフローチャートである。
【図９】本発明の一実施形態における、液体中の気泡を検出する方法のフローチャートである。
【図１】
0005973915.tif 000002
【図２Ａ】
0005973915.tif 000003
【図２Ｂ】
0005973915.tif 000004
【図２Ｃ】
0005973915.tif 000005
【図２Ｄ】
0005973915.tif 000006
【図３Ａ】
0005973915.tif 000007
【図３Ｂ】
0005973915.tif 000008
【図３Ｃ】
0005973915.tif 000009
【図３Ｄ】
0005973915.tif 000010
【図４Ａ】
0005973915.tif 000011
【図４Ｂ】
0005973915.tif 000012
【図４Ｃ】
0005973915.tif 000013
【図４Ｄ】
0005973915.tif 000014
【図５Ａ】
0005973915.tif 000015
【図５Ｂ】
0005973915.tif 000016
【図５Ｃ】
0005973915.tif 000017
【図５Ｄ】
0005973915.tif 000018
【図５Ｅ】
0005973915.tif 000019
【図６】
0005973915.tif 000020
【図７Ａ】
0005973915.tif 000021
【図７Ｂ】
0005973915.tif 000022
【図８】
0005973915.tif 000023
【図９】
0005973915.tif 000024